(57)【要約】【課題】基材の厚みが大きくなることを抑制しつつ、立体感が強調された壁材を提供する。【解決手段】壁材１は、基材２の表面２０に横目地３が形成された壁材である。横目地３は、上面３０と、下面３１とを有する。下面３１は、上面３０よりも下方に位置し、基材２の裏面２１に近い部分ほど上方に位置するように傾斜し、かつ、上面３０よりも緩勾配である。横目地３における上面３０と下面３１との間に、横目地３の長手方向に延びる凸条３３が形成される。【選択図】図２
2019132011.tif 000002
【特許請求の範囲】
【請求項１】
基材の表面に横目地が形成された壁材であって、
前記横目地は、
上面と、
前記上面よりも下方に位置し、前記基材の裏面に近い部分ほど上方に位置するように傾斜し、かつ、前記上面よりも緩勾配の下面とを有し、
前記横目地における前記上面と前記下面との間に、前記横目地の長手方向に延びる凸条が形成された壁材。
【請求項２】
請求項１に記載の壁材において、
前記凸条が上下に複数形成された壁材。
【請求項３】
請求項１又は請求項２に記載の壁材において、
前記横目地は、
前記上面と前記凸条とをつなぐ底面を有し、
前記底面が、前記下面よりも暗色を呈する壁材。
【発明の詳細な説明】
【技術分野】
【０００１】
本開示は壁材に関し、詳しくは、基材の表面に横目地が形成された壁材に関する。
【背景技術】
【０００２】
特許文献１には、基材の表面に凹溝が形成された化粧建築板が開示されている。この化粧建築板は、基材の表面に、凹溝における解像度が他の部分よりも低くなるようにインクジェット塗装が施されることで、立体感が付与されている。
【先行技術文献】
【特許文献】
【０００３】
【特許文献１】特開２００７−２３１５８６号公報
【発明の概要】
【発明が解決しようとする課題】
【０００４】
ところで、上記のようにインクジェット塗装の解像度を変化させるだけでは、基材の表面に立体感を付与することに限界がある。
【０００５】
本開示は上記事由に鑑みてなされており、基材の厚みが大きくなることを抑制しつつ、立体感が強調された壁材を提供することを目的とする。
【課題を解決するための手段】
【０００６】
本開示の一態様に係る壁材は、基材の表面に横目地が形成された壁材であって、前記横目地は、上面と、前記上面よりも下方に位置し、前記基材の裏面に近い部分ほど上方に位置するように傾斜し、かつ、前記上面よりも緩勾配の下面とを有し、前記横目地における前記上面と前記下面との間に、前記横目地の長手方向に延びる凸条が形成される。
【発明の効果】
【０００７】
本開示の一態様に係る壁材は、基材の厚みが大きくなることを抑制しつつ、立体感を強調することができる。
【図面の簡単な説明】
【０００８】
【図１】図１は、実施形態に係る壁材の斜視図である。
【図２】図２Ａは同上の壁材の長手方向と直交する断面図である。図２Ｂは、図２ＡのＡ部の拡大図である。
【図３】図３は、同上の壁材の水平断面図である。
【図４】図４Ａ〜図４Ｄは、変形例の壁材の横目地を示した断面図である。
【発明を実施するための形態】
【０００９】
（１）概要
以下、本実施形態の壁材１について図１〜図３に基づいて説明する。本実施形態の壁材１は、基材２の表面２０に上下方向と交差する方向に延びる横目地３が形成された壁材である。なお、本開示における基材２の表面２０とは、壁材１が壁下地に沿って施工された状態において、基材２における壁下地とは反対側の面を意味する。
【００１０】
図２Ｂに示すように、横目地３は、上面３０と下面３１とを有する。下面３１は、上面３０よりも下方に位置し、基材２の裏面２１に近い部分ほど上方に位置するように傾斜し、かつ上面３０よりも緩勾配である。横目地３における上面３０と下面３１との間に、横目地３の長手方向に延びる凸条３３が形成される。
【００１１】
本実施形態の壁材１は、太陽光又は照明光等の光が、前斜め上方から当たったとき、下面３１と凸条３３とが明るく照らされる。これに対して、横目地３における凸条３３よりも上方の部分３４には、影が形成される。この場合、壁材１を見る人に対して、影が形成された部分３４が、凸条３３を基準として、実際の位置よりも横目地３の奥に位置するような印象が与えられる。このため、壁材１は、深い横目地３が形成されたような外観となる。
【００１２】
（２）構成
以下、本実施形態の壁材１の構成について、詳述する。図１に示す本実施形態の壁材１は、横張り用の外壁材であって、基材２の表面２０が屋外側を向くように施工される。
【００１３】
壁材１は、基材２の裏面２１（表面２０とは反対側の面）が壁下地に沿った状態で施工される。なお、本開示では、壁材１の各構成について、施工された状態における方向を用いて説明する。具体的には、基材２から壁下地とは反対側に向かう方向を前方と規定し、基材２から壁下地側に向かう方向を後方と規定する。
【００１４】
壁材１の主体は、基材２で構成される。基材２は、例えば、押出成形によって形成され、全体が同一の材料から形成される。本実施形態の基材２は、例えば窯業系のサイディング材であって、セメント硬化物からなる。
【００１５】
基材２は、水平方向に長い矩形の板状に形成されている。基材２の水平方向と直交する断面の形状は、基材２の長手方向に亘って略一様である。
【００１６】
図２Ａに示すように、基材２の上端部には、上実部２２が形成されており、基材２の下端部には、下実部２３が形成されている。壁材１が施工された状態では、上実部２２は、上方に隣接する他の壁材１の下実部２３に対向し、下実部２３が下方に隣接する他の壁材１の上実部２２に対向する。
【００１７】
図１及び図２Ａに示すように、基材２の表面２０には、上下方向に間隔をあけて並んだ複数の横目地３が形成されている。
【００１８】
各横目地３は、基材２の長手方向に直線状に延びた溝である。各横目地３は、基材２の長手方向の全長に亘って形成されている。
【００１９】
基材２の表面２０には、上方方向に並んだ複数の突部４が形成されている。各突部４は、基材２の表面２０における隣り合う横目地３の間の部分で構成されている。
【００２０】
各突部４は、前方から見て水平方向に延びた矩形状に形成されている。各突部４の前面は、略鉛直な面である。
【００２１】
各突部４の前面には、例えば、突部４が壁材１のモチーフに対応するピース材に見えるように、当該ピース材の素材の表面を表現した立体模様が形成される。壁材１のモチーフとしては、例えば土壁模様、コンクリート壁模様、石積み模様、れんが積み模様、又は板模様等がある。例えば、壁材１のモチーフが土壁模様である場合、各突部４の前面には、土の表面を表現した立体模様が形成される。
【００２２】
本実施形態の各横目地３は、底面３２を有する箱目地であり、図２Ｂに示すように、上面３０、下面３１、底面３２及び複数の凸条３３を有している。
【００２３】
上面３０は、その上の突部４の下面を構成し、下面３１はその下の突部４の上面を構成する。複数の凸条３３は、各横目地３における上面３０と下面３１との間の部分に形成されている。底面３２は、上面３０と、複数の凸条３３の表面とをつなぐ。
【００２４】
上面３０は、上の突部４の前面の下縁から後ろ斜め下方に延びている。すなわち、上面３０は、基材２の裏面２１に近い部分ほど下方に位置するように傾斜している。このため、上面３０には、太陽光又は照明光等の前斜め上方からの光が当たり難く、影ができやすい。本実施形態の上面３０は、鉛直面に対する傾斜角度θ１が４５°以上である。
【００２５】
下面３１は、下の突部４の前面の上縁から後ろ斜め上方に延びている。すなわち、下面３１は、基材２の裏面２１に近い部分ほど上方に位置するように傾斜している。このため、壁材１に太陽光又は照明光等の光が、前斜め上方から当たったとき、下面３１は明るく照らされやすい。
【００２６】
下面３１は、上面３０と比較して緩勾配である。すなわち、下面３１の鉛直面に対する傾斜角度θ２は、上面３０の鉛直面に対する傾斜角度θ１よりも小さい。本実施形態では、壁材１に太陽光又は照明光等の光が当たったときに、下面３１が突部４の前面よりも明るく照らされるように、傾斜角度θ２が４５°未満とされている。
【００２７】
底面３２は、上面３０の後縁（下端）から下方に延びている。本実施形態の底面３２は、突部４の前面と平行な略鉛直の面である。壁材１に太陽光又は照明光等の光が、前斜め上方から当たったとき、底面３２には上方に位置する突部４の影ができやすい。
【００２８】
底面３２と下面３１との間には、上下方向に並んだ複数の凸条３３が形成されている。下面３１の後縁（上端）及び底面３２の下縁は、複数の凸条３３の表面につながっている。すなわち、本実施形態では、底面３２と下面３１とが、複数の凸条３３の表面を介して、つながっている。
【００２９】
各凸条３３は、横目地３の長手方向に直線状に延びており、横目地３の長手方向全体に亘っている。
【００３０】
各横目地３において、複数の凸条３３は、底面３２よりも前方に突出している。このため、複数の凸条３３は、底面３２と比較して、前記光により明るく照らされやすい。なお、複数の凸条３３は、突部４の前面よりも後方に位置している。また、下側の凸条３３ほど前方に位置しており、また、いずれの凸条３３も、上記の通り、突部４の全面よりも後方に位置している。
【００３１】
本実施形態の基材２の表面２０には、全体に亘って印刷が施される。具体的に基材２の表面２０は、表面粗さが互いに異なる複数の印刷領域を有しており、各印刷領域には、印刷領域毎に異なる印刷が施されている。
【００３２】
本実施形態の表面２０は、複数の印刷領域として、複数の第１印刷領域ＰＡ１と、複数の第２印刷領域ＰＡ２と、複数の第３印刷領域ＰＡ３とを有している。
【００３３】
各第１印刷領域ＰＡ１は、突部４の前面と、これに連続した横目地３の下面３１とで構成される。各第１印刷領域ＰＡ１には、例えば、土、コンクリート、石、れんが、木、ガラス等の種々の素材の中から選択された一つの素材を表現する印刷が施される。
【００３４】
第１印刷領域ＰＡ１に印刷される素材は、突部４の形状により表現された素材と同じ素材である。例えば、突部４が土壁の一部を表現する形状を有する場合、第１印刷領域ＰＡ１には、土の表面を表した色及び模様を有する印刷が施される。
【００３５】
各第１印刷領域ＰＡ１は、当該第１印刷領域ＰＡ１に印刷される素材に応じた表面粗さを有している。なお、本開示における表面粗さには、例えば、ＪＩＳＢ ０６０１：２０１３で規定される算術平均粗さＲａが用いられる。
【００３６】
各第２印刷領域ＰＡ２は、複数の凸条３３の表面で構成される。各第２印刷領域ＰＡ２には、例えば、前記種々の素材の中から選択された一つの素材を表現した印刷が施される。
【００３７】
ただし、第２印刷領域ＰＡ２に印刷される素材は、第１印刷領域ＰＡ１に印刷される素材とは異なる。例えば、第１印刷領域ＰＡ１に前述した土の素材が印刷される場合、第２印刷領域ＰＡ２には、ガラスの表面を表した色及び模様を有する印刷が施される。
【００３８】
各第２印刷領域ＰＡ２は、当該第２印刷領域ＰＡ２に印刷される素材に応じた表面粗さを有している。本実施形態では、第２印刷領域ＰＡ２は、第１印刷領域ＰＡ１よりも表面粗さが小さくなるように形成される。このため、第１印刷領域ＰＡ１と第２印刷領域ＰＡ２との質感の違いが明確に表現される。
【００３９】
各第３印刷領域ＰＡ３は、横目地３の上面３０及び底面３２で構成される。各第３印刷領域ＰＡ３には、例えば、第１印刷領域ＰＡ１と同じ素材で、かつ、第１印刷領域ＰＡ１よりも暗い色の印刷が施される。すなわち、上面３０及び底面３２は、突部４の前面及び下面３１よりも暗色を呈する。このため、第３印刷領域ＰＡ３は、第３印刷領域ＰＡ３に形成される影の影響と相まって、一層暗く見える。
【００４０】
第３印刷領域ＰＡ３の表面粗さは、第１印刷領域ＰＡ１の表面粗さよりも小さい。このため、第３印刷領域ＰＡ３は、実際の位置よりも基材２の裏面２１側に位置するように見えやすい。
【００４１】
また、第３印刷領域ＰＡ３の表面粗さは、第２印刷領域ＰＡ２の表面粗さよりも大きい。このため、第３印刷領域ＰＡ３と第２印刷領域ＰＡ２との質感の違いが明確に表現される。
【００４２】
本実施形態の壁材１は、図３に示すように、基材２の表面２０の全体に亘って形成された塗装膜５を備えている。塗装膜５は、前述した印刷により形成される印刷層５２を有する。
【００４３】
本実施形態の塗装膜５は、例えば、インク受理層５１、印刷層５２及びクリア層５３を、基材２側からこの順に有している。
【００４４】
基材２の表面２０に形成されるインク受理層（インク受容層）５１は、印刷層５２を基材２の表面２０に定着させやすくする。インク受理層５１は、例えばスプレーコート、カーテンコート、ロールコート等の手法で形成される。インク受理層５１を形成する塗料としては、例えば、水性の塗料が用いられる。この塗料は、例えば、アクリル樹脂塗料又はアクリルシリコン樹脂塗料である。
【００４５】
インク受理層５１の表面（前面）に形成される印刷層（インク層）５２は、インクジェット印刷（インクジェット塗装）により形成される。すなわち、印刷層５２は、インク受理層５１に接着された多数のインクドット（インク摘）の集合体である。
【００４６】
前記インクジェット印刷は、例えば、複数の色のインクを噴射するインクジェット印刷機を用いて行われる。印刷層５２を形成するインクとしては、例えば水性インクが用いられる。
【００４７】
本実施形態における印刷層５２は、印刷領域毎にドット密度が異なっており、各印刷領域におけるドット密度は、表面粗さが小さい印刷領域ほど、ドット密度が大きい。なお、前記ドット密度の違いは、例えば、インクドットピッチ及びインクドット径のうちの一方又は両方を印刷領域毎に異ならせることで、付けられる。
【００４８】
図２Ｂに示す第２印刷領域ＰＡ２におけるドット密度は、第１印刷領域ＰＡ１におけるドット密度よりも大きい。このため、第２印刷領域ＰＡ２は、第１印刷領域ＰＡ１よりも平滑に見えやすい。したがって、第１印刷領域ＰＡ１と第２印刷領域ＰＡ２との表面粗さの違いの影響と相まって、第１印刷領域ＰＡ１と第２印刷領域ＰＡ２との質感の違いが、一層明確に表現される。
【００４９】
また、第３印刷領域ＰＡ３のドット密度は、第１印刷領域ＰＡ１のドット密度よりも大きい。このため、第３印刷領域ＰＡ３は、第１印刷領域ＰＡ１よりも一層暗く見える。
【００５０】
また、第３印刷領域ＰＡ３のドット密度は、第２印刷領域ＰＡ１のドット密度よりも小さい。このため、第２印刷領域ＰＡ２は、第３印刷領域ＰＡ３よりも一層平滑に見えやすい。
【００５１】
図３に示すように、印刷層５２の表面（前面）には、クリア層５３が形成される。クリア層５３は、可視光が透過する層であり、印刷層５２を保護し、また、クリア性を付与して意匠性を高める。
【００５２】
クリア層５３は、例えば、スプレーコート等によって形成される。クリア層５３を形成するクリア塗料としては、例えば、水性のクリア塗料が用いられる。水性のクリア塗料は、例えば、アクリル系、アクリルシリコン系、アクリルウレタン系等の塗料である。
【００５３】
クリア層５３におけるクリア塗料は、印刷層５２におけるインクドットの表面に塗布されやすく、インク受理層５１において印刷層５２のインクドットが塗布されていない箇所には、塗布され難い。このため、クリア層５３は、対応する印刷領域に印刷された印刷層５２のドット密度が大きいほど、クリア塗料の密度が大きくなる。すなわち、この場合、第２印刷領域ＰＡ２におけるクリア塗料の密度は、第１印刷領域ＰＡ１におけるクリア塗料の密度よりも大きくなる。このため、第２印刷領域ＰＡ２は、第１印刷領域ＰＡ１と比較して一層平滑に見えやすい。
【００５４】
（３）変形例
次に前記実施形態の変形例について説明する。なお、以下の各変形例の説明では、前記実施形態と共通する要素については同一の符号を付して説明を省略する。
【００５５】
（３―１）変形例１
図４Ａに示す変形例１の壁材１は、横目地３に凸条３３が１条だけ形成されている。また、底面３２が、下面３１と同一仮想面上に位置する面であり、基材２の裏面２１に近い部分ほど上方に位置するように、鉛直面に対して傾斜している。
【００５６】
（３―２）変形例２
図４Ｂに示す変形例２の壁材１は、底面３２が、鉛直面と略平行な底面上部３５と、下面３１と同一仮想面上に位置する底面下部３６とで構成されている。
【００５７】
底面上部３５の上縁は、上面３０の後縁につながっており、底面上部３５の下縁は、底面下部３６の上縁につながっている。底面下部３６の下縁は、凸条３３の表面につながっている。
【００５８】
（３―３）変形例３
図４Ｃに示す変形例３の壁材１の底面３２は、下面３１と同一仮想面上に位置する面であり、基材２の裏面２１に近い部分ほど上方に位置するように、鉛直面に対して傾斜している。
【００５９】
（３―４）変形例４
図４Ｄに示す変形例４の壁材１は、横目地３の複数の凸条３３が、底面３２の上下方向の中間部に形成されている。
【００６０】
本変形例の第１印刷領域ＰＡ１は、突部４の前面と、下面３１と、底面３２における複数の凸条３３よりも下方の部分とで構成される。この第１印刷領域ＰＡ１には、前記実施形態の第１印刷領域ＰＡ１と同様の印刷が施され、また、前記実施形態の第１印刷領域ＰＡ１に形成された塗装膜５と同様の塗装膜が形成される。
【００６１】
また、本変形例の第３印刷領域ＰＡ３は、底面３２における複数の凸条３３よりも上方の部分と、上面３０とで構成される。この第３印刷領域ＰＡ３には、前記実施形態の第３印刷領域ＰＡ３と同様の印刷が施され、また、前記実施形態の第３印刷領域ＰＡ３に形成された塗装膜５と同様の塗装膜が形成される。
【００６２】
（４）補足
前記実施形態及び各変形例の壁材１は、適宜設計変更可能である。
【００６３】
例えば、横目地３の上面３０の傾斜角度θ１は、４５°未満であってもよい。また、上面３０は、裏面２１に近い部分ほど下方に位置するように傾斜したものに限られず、例えば水平面であってもよい。また、横目地３の下面３１の傾斜角度θ２は、４５°以上であってもよい。
【００６４】
また、横目地３は、底面３２を有さなくてもよい。この場合、上面３０は凸条３３の表面に直接つながる。また、凸条３３は、横目地３の長手方向における一部にのみ形成されてもよい。
【００６５】
また、横目地３の長手方向は、上下方向に対して交差する方向であればよく、例えば、水平方向に対して傾斜した方向であってもよい。また、横目地３は、基材２に一つだけ形成されてもよい。また、横目地３は、基材２の長手方向における一部にのみ形成されてもよい。
【００６６】
また、塗装膜５は、基材２の表面２０に、直接形成されたものに限られず、シーラー、プライマー、エナメル塗料等の下地層を介して形成されてもよい。また、塗装膜５は、インク受理層５１及びクリア層５３のうちの少なくとも一方を有さなくてもよい。また、塗装膜５の表面には、必要に応じて、無機質塗料層又は光触媒塗料層など、他の層が更に形成されてもよい。
【００６７】
また、インク受理層５１の塗料は、限定されず、例えば、紫外線硬化型樹脂塗料等から形成されてもよい。また、印刷層５２を形成するインクは、限定されず、例えば、油性インク又は紫外線硬化性インク等であってもよい。また、クリア層５３を形成するクリア塗料は、限定されず、例えば、溶剤クリア塗料又は紫外線硬化型クリア塗料等であってもよい。
【００６８】
また、第２印刷領域ＰＡ２の表面粗さは、第１印刷領域ＰＡ１の表面粗さと同じであってもよいし、第３印刷領域ＰＡ１の表面粗さと同じであってもよい。
【００６９】
また、第３印刷領域ＰＡ３の表面粗さは、第１印刷領域ＰＡ１の表面粗さと同じであってもよい。また、第３印刷領域ＰＡ３の表面粗さは、第１印刷領域ＰＡ１の表面粗さよりも大きくてもよいし、第２印刷領域ＰＡ２の表面粗さよりも小さくてもよい。
【００７０】
また、第３印刷領域ＰＡ３には、隣接する第１印刷領域ＰＡ１及び第２印刷領域ＰＡ２の印刷よりも暗い色であれば、第２印刷領域ＰＡ２と同じ素材の印刷が施されてもよい。また、第３印刷領域ＰＡ３には、第１印刷領域ＰＡ１及び第２印刷領域ＰＡ２の両者と異なる素材の印刷が施されてもよい。
【００７１】
また、各印刷領域のドット密度は、印刷領域毎に異ならなくてもよい。また、基材２の表面２０に印刷される素材の数は、限定されず、例えば、表面２０には一つの素材の印刷だけが施されてもよいし、３以上の素材の印刷が施されてもよい。また、壁材１には、印刷が施されなくてもよい。すなわち、壁材１は、塗装膜５を有さなくてもよい。
【００７２】
また、基材２は、抄造成形、注型成形又はプレス成形等の押出成形以外の方法で形成されてもよい。
【００７３】
また、基材２は窯業系基材に限られず、木質系基材、プラスチック系基材又は金属系基材等であってもよい。また、壁材１は、基材２の長手方向が上下方向と平行となる、縦張り用の外壁材であってもよい。また、本開示の技術は、内壁材として利用される壁材にも適用可能である。
【００７４】
また、前記実施形態、変形例３及び変形例４の横目地３には、凸条３３が１条だけ形成されてもよいし、３条以上形成されてもよい。また、変形例１及び変形例２の横目地３には、凸条３３が２条以上形成されてもよい。
【００７５】
（５）まとめ
以上説明した、実施形態及び各変形例の壁材１は、基材２の表面２０に横目地３が形成された壁材であって、以下に示す構成を有する。横目地３は、上面３０と、下面３１とを有する。下面３１は、上面３０よりも下方に位置し、基材２の裏面２１に近い部分ほど上方に位置するように傾斜し、かつ、上面３０よりも緩勾配である。横目地３における上面３０と下面３１との間に、横目地３の長手方向に延びる凸条３３が形成される。以下、この構成を有する壁材１を第１の態様の壁材１という。
【００７６】
第１の態様の壁材１は、太陽光又は照明光等の光が、前斜め上方から当たったとき、下面３１と凸条３３とが明るく照らされるのに対して、横目地３における凸条３３よりも上方の部分３４（例えば、前記実施形態における上面３０及び底面３２）には、影が形成されやすい。この場合、壁材１を見る人に対して、影が形成された部分３４が、基材２の表面側に向かって突出した凸条３３を基準として、実際の位置よりも横目地３の奥に位置するような印象が与えられる。このため、壁材１は深い横目地３が形成されたような立体感が強調された外観となり、壁材１の厚みが大きくなることを抑制しつつ、意匠性を向上することができる。
【００７７】
また、前記実施形態、変形例３及び変形例４の壁材１は、第１の態様の壁材１において、以下に示す構成を有する。凸条３３が上下に複数形成される。以下、この壁材１を第２の態様の壁材１という。
【００７８】
第２の態様の壁材１は、複数の凸条３３が明るく照らされる。このため、壁材１を見る人に対して、これら複数の凸条３３が基準となって、横目地３における凸条３３よりも上方の部分３４が、実際の位置よりも横目地３の奥に位置するような印象が与えられる。
【００７９】
また、前記実施形態及び各変形例の壁材１は、以下に示す構成を有する。横目地３は、上面３０と凸条３３とをつなぐ底面３２を有する。底面３２が、下面３１よりも暗色を呈する。以下、この壁材１を第３の態様の壁材１という。
【００８０】
第３の態様の壁材１は、壁材１を見る人に対して、底面３２が、凸条３３を基準として、実際の位置よりも横目地３の奥に位置するような印象が与えられる。また、この底面３２は、下面３１よりも暗色を呈するため、より一層、横目地３の奥側に位置するように見えやすくなる。
【００８１】
なお、第２、第３の態様の壁材１の構成は、壁材１に必須の構成ではなく、適宜省略可能である。
【符号の説明】
【００８２】
１  壁材
２  基材
２０  表面
２１  裏面
３  横目地
３０  上面
３１  下面
３２  底面
３３  凸条
【図１】
2019132011.tif 000003
【図２】
2019132011.tif 000004
【図３】
2019132011.tif 000005
【図４】
2019132011.tif 000006